(57)【要約】【課題】部品数が少なく、各機構の位置合わせや精度管理が不要で簡素な構成を実現可能で、且つ読取面（対物面）に対して効率よく且つ均一な光を照射可能な画像読取装置を提供する。【解決手段】被撮影物に付された画像を読み取るための対物面１１を有するケース１と、対物面１１に設けられた光透過板２と、ケース１の内部において対物面１１と対向し、画像を撮像する撮像手段３と、ケース１の内部に配置され、対物面１１に光を照射するＬＥＤ光源４と、ＬＥＤ光源４と撮像手段３との間に配置され、ＬＥＤ光源４から撮像手段３へ入射する光を遮る遮蔽板５と、ケース１の内部において撮像手段３の光軸Ａ１と平行に配置され、ＬＥＤ光源４から対物面へ入射する光及び被撮影物からの反射光を拡散させる拡散手段６とを備える。【選択図】図１
2011095998.tif 000002
【特許請求の範囲】
【請求項１】
被撮影物に付された画像を読み取るための対物面を有するケースと、
前記対物面に設けられた光透過板と、
前記ケースの内部において前記対物面と対向し、前記画像を撮像する撮像手段と、
前記ケースの内部に配置され、前記対物面に光を照射するＬＥＤ光源と、
前記ＬＥＤ光源と前記撮像手段との間に配置され、前記ＬＥＤ光源から前記撮像手段へ入射する光を遮る遮蔽板と、
前記ケースの内部において前記撮像手段が有する光軸と平行に配置され、前記ＬＥＤ光源から前記対物面へ入射する光及び前記被撮影物からの反射光を拡散させる拡散手段と
を備えることを特徴とする画像読取装置。
【請求項２】
前記拡散手段が、表面が粗面化されたフィルム体又は拡散剤を含有するフィルム体を含むことを特徴とする請求項１に記載の画像読取装置。
【請求項３】
前記ケースが、
前記対物面と隣接し、前記ＬＥＤ光源と対向する第１面と、
前記対物面と隣接し、前記第１面と対向する第２面と、
前記第１面と対向し、前記ＬＥＤ光源を配置する第３面と、
前記第１面と対向し、前記第２面と前記第３面との間に配置された斜面部とを有し、
前記第１面及び前記斜面部の表面が、前記ＬＥＤ光源からの光を反射させる反射特性を有し、前記拡散手段が、前記第２面から前記第３面の上部に延在して配置されていることを特徴とする請求項１又は２に記載の画像読取装置。
【請求項４】
被撮影物に付された画像を読み取るための対物面を有するケースと、
前記対物面に設けられた光透過板と、
前記ケースの内部において前記対物面と対向し、前記画像を撮像する撮像手段及び前記対物面を照射するＬＥＤ光源を搭載する光学基板と、
前記対物面と前記光学基板との間に配置された遮蔽板と、
前記遮蔽板に接続され、前記ＬＥＤ光源から前記撮像手段へ入射する光を遮るとともに前記ＬＥＤ光源から発せられる光の方向を制御する導光部材と
を備え、
前記導光部材が、前記ＬＥＤ光源から発せられる前記光を前記撮像手段の光軸と平行な光線束として導光し、導光した光を、前記ケースの内部に所定の角度を有して形成された斜面部に入射させることを特徴とする画像読取装置。
【請求項５】
前記導光部材が、前記ＬＥＤ光源の光軸に対して平行に延伸する内壁面を有する筒形の導光部材を有する請求項４に記載の画像読取装置。
【請求項６】
前記光透過板が、特定の波長帯域に透過帯域を有する光透過フィルタであり、前記ＬＥＤ光源から発せられる光が、前記特定の波長帯域に適合していることを特徴とする請求項１〜５のいずれか１項に記載の画像読取装置。
【発明の詳細な説明】
【技術分野】
【０００１】
本発明は、被撮影物に付された画像情報を読み取る画像読取装置に関する。
【背景技術】
【０００２】
被撮影物に付された１次元コード、２次元コード等の固有情報に光を当て、その反射光をＣＣＤカメラ等の撮像手段により撮像して必要な情報を読み取る画像読取装置が知られている。このような画像読取装置は、例えば被撮影物に反射面が多い場合、或いは暗視野で情報を読み取る場合等に、所望の画像が読み取りにくくなる場合があるため、読取面に対して効率よく均一な光を照射するための工夫がなされてきた。
【０００３】
例えば、特許文献１では、光源から照射される光をハウジング内に設けた光反射部材に反射させ、反射した光を読取面に向けて斜めに照射することによって、読取面に対して均一な光を照射させるコード読取装置を開示している。特許文献２では、透明なブロック状の導光部材を切削により形成してハウジング内に埋設し、光源からの光を導光部材中に透過拡散させることによって、光を効率よく均一に照射させるコード読取装置を開示している。
【先行技術文献】
【特許文献】
【０００４】
【特許文献１】特開２００４−１３８７８号公報
【特許文献２】特開２００４−５３２７号公報
【発明の概要】
【発明が解決しようとする課題】
【０００５】
しかしながら、特許文献１に記載される従来の読取装置では、光源からの光を読取面に向けて斜めに照射しているため、構成物品間の位置合わせや精度管理が必要で、構成が複雑である。また、特許文献２に記載される従来の読取装置は、照明ユニット内に埋設する導光部材を照明ユニットの形状に合わせて形成しているため、部品コストがかかるうえ、導光部材と連結されるレンズとの位置合わせや精度管理等も必要となり、簡素な構成での提供が図れていない。
【０００６】
上記問題点を鑑み、本発明は、簡素な構成で、読取面（対物面）に対して効率よく均一な光を照射可能な画像読取装置を提供する。
【課題を解決するための手段】
【０００７】
上記課題を解決するために、本発明者は、撮像手段の撮像精度に影響を及ぼす光の入射を抑制させるための構成を鋭意検討することにより、部品点数の削減が可能で、簡易な構成を具備する画像読取装置を見出した。
【０００８】
従って、本発明は、一側面において、被撮影物に付された画像を読み取るための対物面を有するケースと、対物面に設けられた光透過板と、ケースの内部において対物面と対向し、画像を撮像する撮像手段と、ケースの内部に配置され、対物面に光を照射するＬＥＤ光源と、ＬＥＤ光源と撮像手段との間に配置され、ＬＥＤ光源から撮像手段へ入射する光を遮る遮蔽板と、ケースの内部において撮像手段が有する光軸と平行に配置され、ＬＥＤ光源から対物面へ入射する光及び被撮影物からの反射光を拡散させる拡散手段とを備える画像読取装置である。
【０００９】
本発明に係る画像読取装置は、一実施態様において、拡散手段が、表面が粗面化されたフィルム体又は拡散剤を含有するフィルム体を含む。
【００１０】
本発明に係る画像読取装置は、一実施態様において、ケースが、対物面と隣接し、ＬＥＤ光源と対向する第１面と、対物面と隣接し、第１面と対向する第２面と、第１面と対向し、ＬＥＤ光源を配置する第３面と、第１面と対向し、第２面と第３面との間に配置された斜面部とを有し、第１面及び斜面部の表面が、ＬＥＤ光源からの光を反射させる反射特性を有し、拡散手段が、第２面から第３面の上部に延在して配置されている。
【００１１】
本発明は、別の一側面において、被撮影物に付された画像を読み取るための対物面を有するケースと、対物面に設けられた光透過板と、ケースの内部において対物面と対向し、画像を撮像する撮像手段及び対物面を照射するＬＥＤ光源を搭載する光学基板と、対物面と光学基板との間に配置された遮蔽板と、遮蔽板に接続され、ＬＥＤ光源から撮像手段へ入射する光を遮るとともにＬＥＤ光源から発せられる光の方向を制御する導光部材とを備え、導光部材が、ＬＥＤ光源から発せられる光を撮像手段の光軸と平行な光線束として導光し、導光した光を、ケースの内部に所定の角度を有して形成された斜面部に入射させる画像読取装置である。
【００１２】
本発明に係る画像読取装置は、一実施態様において、導光部材が、ＬＥＤ光源の光軸に対して平行に延伸する内壁面を有する筒形の導光部材を有する。
【００１３】
本発明に係る画像読取装置は、一実施態様において、光透過板が、特定の波長帯域に透過帯域を有する光透過フィルタであり、ＬＥＤ光源から発せられる光が、特定の波長帯域に適合している。
【発明の効果】
【００１４】
本発明によれば、部品数が少なく、簡素な構成を実現可能で、且つ読取面（対物面）に対して効率よく且つ均一な光を照射可能な画像読取装置が提供できる。
【図面の簡単な説明】
【００１５】
【図１】第１の実施の形態に係る画像読取装置の一例を示す正面の断面図である。
【図２】図１とは別の方向からみた場合の第１の実施の形態に係る画像読取装置の一例を示す断面図である。
【図３】第１の実施の形態に係る画像読取装置の光透過板、撮像手段、ＬＥＤ光源、遮蔽板のそれぞれの配置関係の一例を示す説明図である。
【図４】第２の実施の形態に係る画像読取装置の一例を示す断面図である。
【図５】図４とは別の方向からみた場合の第２の実施の形態に係る画像読取装置の一例を示す断面図である。
【図６】第２の実施の形態に係る画像読取装置の遮蔽板及び導光部材の一例を示す側面図である。一例を示す断面図である。
【図７】第２の実施の形態に係る画像読取装置の遮蔽板の一例を示す側面図である。
【図８】第２の実施の形態に係る画像読取装置の導光部材の一例を示す斜視図である。
【図９】図８に示す導光部材の上面を取り外した場合の一例を示す斜視図である。
【発明を実施するための形態】
【００１６】
図面を参照して、本発明の第１及び第２の実施の形態を説明する。以下の図面の記載においては、同一又は類似の部分には同一又は類似の符号を付している。なお、以下に示す第１及び第２の実施の形態は、この発明の技術的思想を具体化するための装置や方法を例示するものであって、この発明の技術的思想は、構成部品の構造、配置等を下記のものに特定するものではない。
【００１７】
（第１の実施の形態）
第１の実施の形態に係る画像読取装置は、図１に示すように、被撮影物（図示せず）に付された画像を読み取るための対物面１１を有するケース１と、対物面１１に設けられた光透過板２と、ケース１の内部において対物面１１と対向する撮像手段３と、ケース１の内部において撮像手段３が有する光軸Ａ１と対向し、対物面１１を照射するＬＥＤ光源４と、ＬＥＤ光源４と撮像手段３との間に配置された遮蔽板５と、ケース１の内部に配置された拡散手段６とを備える。
【００１８】
ケース１は、撮像手段３、ＬＥＤ光源４、遮蔽板５、拡散手段６及び撮像手段３の撮像を制御する制御手段（図示せず）を内部に収容する。ケース１は、対物面１１と隣接し、ＬＥＤ光源４と対向する第１面１２、対物面１１と隣接し、第１面１２と対向する第２面１３、第１面１２と対向し、ＬＥＤ光源４を配置する第３面１４、第１面１２と対向し、第２面１３と第３面１４との間に配置された斜面部１５とを有している。
【００１９】
第１面１２、第２面１３、第３面１４及び斜面部１５の表面は、ＬＥＤ光源４から発せられる光を反射する反射特性を備えている。例えば、第１面１２、第２面１３、第３面１４及び斜面部１５の表面に、使用する光源の波長領域や所望の光線反射率等に合わせた凹凸加工（マット加工）等の表面処理を行うことにより、反射特性が付与される。或いは、第１面１２、第２面１３、第３面１４及び斜面部１５の表面上に、光反射膜等を単層又は複数層に配置することにより、反射特性を付与してもよい。或いは、第１面１２、第２面１３、第３面１４及び斜面部１５の表面を白色又黒色の樹脂又は金属等でコーティングしてもよい。或いは、酸化チタン、二酸化チタン、炭酸カルシウムなどの反射剤或いは散乱剤等をケース１に含有させ、第１面１２、第２面１３、第３面１４及び斜面部１５の表面に所望の反射特性を付与するようにしてもよい。
【００２０】
光透過板２は、ＬＥＤ光源４から発せられる光を透過させて被撮影物に照射し、被撮影物からの反射光を透過させて再びケース１内に入射させる。光透過板２としては、例えば、特定の波長帯域に対して透過帯域を有する光学フィルタ（バンドパスフィルタ）が好適である。例えば、ＬＥＤ光源４として赤外波長発光素子を利用し、光透過板２として赤外波長透過フィルタを利用し、撮像手段３として赤外波長領域に選択的に反応する特性を有する撮像素子を利用することで、撮像手段３が特定の波長領域で構成される画像情報のみを読取採取できる。その結果、より適切な品質で画像情報が採取でき、画像採取後の画像処理判定処理も容易で画像処理精度の向上が図れる。
【００２１】
撮像手段３は、光透過板２を介して被撮影物に付された画像情報を撮像する。画像情報としては、例えば、バーコードに代表される一次元コード、白黒模様がマトリクス状に示された二次元コード、金属、セラミックス、高分子化合物等の物体表面にレーザ光等によって書き込まれた凹凸模様、あるいはプラスチックカード、磁気カード、ＩＣカード、ゲームカード等の表面に表示又は印刷された固有コード等があげられるが、これらに限定されるものではない。
【００２２】
撮像手段３としては、例えばＣＣＤ型又はＣＭＯＳ型のレンズ付き撮像素子が使用可能である。撮像手段３は、ケース１の第３面１４に対してほぼ垂直に配置された光学基板（制御回路基板）７のほぼ中心部にマウントされている。光学基板７は、例えばチップ状のトランジスタ、抵抗、コンデンサ等の電子部品を実装するとともに、撮像手段３の駆動および検出回路、ＬＥＤ光源４を駆動するドライバ回路等を構成している。撮像手段３が撮像する画像情報は、画像の読取又は復号化処理等を制御する制御回路を備えた制御手段（図示省略）に入力され、所定の画像処理が行われる。
【００２３】
ＬＥＤ光源４は、図２に示すように、複数のＬＥＤパッケージ４１と複数のＬＥＤパッケージ４１を搭載する基板４２を含み、図１に示すように、ケース１の第３面１４上に、第１面１２と対向して配置されている。ＬＥＤパッケージ４１としては、例えば、赤外光を発光するＬＥＤチップを具備する砲弾型又は表面実装型のＬＥＤパッケージが利用可能である。ＬＥＤパッケージ４１から発せられた光は、第１面１２の表面で乱反射し、拡散手段６の表面で拡散して均一な光（面光源）となり、透過板２を介して被撮影物に照射される。
【００２４】
遮蔽板５は、図１に示すように、例えばケース１内において、第３面１４に対してほぼ垂直に配置されており、ＬＥＤ光源４及び撮像手段３からそれぞれ離間するように配置されている。なお、ＬＥＤ光源４と遮蔽板５との距離を近づけすぎると、ＬＥＤパッケージ４１の光軸と撮像手段３との距離が近くなるため、撮像手段３の視野範囲の中に、ＬＥＤパッケージ４１から照射される輝度の高い光が入ってしまう場合がある。逆に、ＬＥＤ光源４と遮蔽板５との距離を遠くしすぎると、ＬＥＤパッケージ４１からの輝度の高い光が撮像手段３の視野範囲に入る可能性がある。更に、ＬＥＤ光源４と遮蔽板５との距離を遠くしすぎると、ＬＥＤパッケージ４１の光軸と光透過板２との距離が近くなる結果、ＬＥＤパッケージ４１から照射される強い光が光透過板２の界面で反射し、界面で反射した光が撮像手段３に入射することにより、撮像手段３が被撮影物の画像情報を適切に認識できない場合がある。そのため、遮蔽板５は、撮像手段３の視野範囲を確保するとともに、ＬＥＤ光源４から撮像手段３の視野範囲に入射する輝度の高い光を遮るために、十分な距離及び高さを有して配置させるのが好ましい。なお、遮蔽板５の表面には、所定の反射特性を持たせるために、マット加工等の表面加工や樹脂加工等を施してもよい。
【００２５】
図３に、光透過板２、撮像手段３、ＬＥＤ光源４、遮蔽板５の配置関係の一例を示す。上記の好ましい条件を満たす遮蔽板５の高さとしては、具体的には、以下の（１）式及び（２）式の関係を充足するように配置される。
ｈS＞[ｈC-{(ｈC-ｈL/ｌL)×ｌS}]            ・・・（１）
ｈS＜[ｈC-{(ｈC-ｈTL/ｌT)×ｌS}]            ・・・（２）
ここで、ｈCは、ＬＥＤ光源４が搭載される面（第３面１４）から撮像手段３の撮像素子３の光軸Ａ１までの高さ（撮像手段３の光軸高さｈC）、ｈSは第３面１４から遮蔽板５の高さ、ｈLは、第３面１４からＬＥＤ光源４のＬＥＤパッケージ４１上面までの高さ（ＬＥＤ光源４の光軸高さｈL）、ｈTLは第３面１４から透過板２の下端までの高さ（撮像手段３の視野幅ｈTL）、ｌSは撮像手段３の撮像素子から遮蔽板５までの距離、ｌLは撮像素子からＬＥＤ光源４のＬＥＤパッケージ４１の発光点までの距離、ｌTは撮像素子から光透過板２までの距離をｌTとする。
【００２６】
拡散手段６は、ＬＥＤ光源４から入射する光を透過及び拡散反射させて光透過板２へ入射させる、或いは被撮影物から反射して光透過板２を透過した反射光を第１面１２との表面の間で拡散反射させて、撮像手段３へ入射させる。同時に、拡散手段６は、ＬＥＤ光源４から入射する光が光透過板２に直接入らないように、ＬＥＤ光源４からの光を遮る役割も持つ。そのため、拡散手段６は、光透過板２が配置される側のケース１の端からＬＥＤ光源４の上部まで延在して配置されている。ただし、拡散手段６がＬＥＤ光源４の光軸上に配置すると、ＬＥＤ光源４から第１面１２へ向かう光を遮ることとなり、光透過板２へ到達する光の輝度が低くなる。よって、拡散手段６は、ＬＥＤ光源４の光軸Ｌ１を遮らないように配置するのが好ましい。
【００２７】
拡散手段６の要求特性としては、光透過効率がよく且つ光拡散性に優れた材料が好ましい。そのような材料としては、例えば、透光性を有する光拡散フィルム体が利用可能である。光拡散フィルム体としては、例えば、表面が粗面化（マット加工）されたフィルム体又は乳白拡散剤等を含有させたフィルム体等が好適である。第１の実施の形態に係る画像読取装置においては、拡散手段６として例えば第１面１２と対向する表面に凹凸加工を施して粗面化した矩形の半透明のポリエチレンテレフタレート（ＰＥＴ）等のポリオレフィン系光拡散樹脂フィルム、ポリカーボネート（ＰＣ）系光拡散樹脂フィルム、アクリル系光拡散樹脂フィルム等が好適に用いられる。光透過効率を良くすると同時に機械的強度を確保するためには、光拡散フィルム体の厚さが例えば０．１〜０．２ｍｍ程度であるのが好ましい。拡散手段６は、図１に示すように、その表面が撮像手段３の光軸Ａ１と実質的に平行となるように配置されている。拡散手段６は、その端部を第２面１３上に接着剤等で固定することにより、簡素な構成で、且つ撮像手段３の視野範囲に入らないように、撮像手段３の光軸Ａ１と実質的に平行に容易に固定できる。
【００２８】
一般に、ＬＥＤ光源４により対物面を照射する場合は、発光に際し指向性を有しているため、光の均一化が難しい。第１の実施の形態に係る画像読取装置によれば、ケース１の内壁（第３面１４）に固定されたＬＥＤ光源４からの光を、ケース１の内壁（第１面１２）の表面で乱反射させた後、反射した光を、表面に細やかな凹凸仕上げを施した拡散手段６と内壁（第１面１２）との間で拡散及び反射させながら光透過板２を介して被撮影物に照射させる。拡散手段６に入射する反射光は、拡散手段６の表面内で均一な光（面発光）となって対物面１１に照射されるため、読取面（対物面）に対して効率よく且つ均一な光が照射できる。また、ＬＥＤ光源４からの光は、複雑かつ特別な機構を設けることなく、ケース１の内壁（第１面１２）と拡散手段６との間で反射・拡散させながら光透過板２へ入射させているため、部品点数も少なくて済み、各構成部材同士の位置合わせ等も不要で、簡素な構成の画像読取装置が提供できる。
【００２９】
また、ＬＥＤ光源４の光が直接入らないように、ＬＥＤ光源４と撮像手段３との間には遮蔽板５が設けられているため、装置の小型化により、撮像素子とＬＥＤ光源４とが近接した状態であっても、撮像手段３による適切な画像品質の採取が可能である。また、拡散手段６により、光透過板２上にＬＥＤ光源４から入射する光源の像の入射を抑制できるため、対物面にある読取対象画像情報を簡易な構成で高い精度により取得できる。
【００３０】
（第２の実施の形態）
第２の実施の形態に係る画像読取装置は、図４に示すように、撮像手段３を搭載する光学基板７１上に、撮像手段３と隣接してＬＥＤ光源４ａ、４ｂ（図５参照）が搭載されており、ＬＥＤ光源４に隣接する導光部材８を更に具備する点が、図１に示す画像読取装置と異なる。
【００３１】
ＬＥＤ光源４ａ、４ｂは、第１の実施の形態において説明したＬＥＤパッケージ４１と実質的に同等の構成を具備し、図４及び図５に示すように、それぞれ撮像手段３の光軸Ａ１と実質的に平行な光軸Ａ２（Ａ３）を有している。光学基板７１と対向する遮蔽板５１は、図７に示すように、撮像手段３と対応する位置に第１開口５２を有しており、ＬＥＤ光源４ａ、４ｂと対向する位置に第２開口５３ａ、５３ｂを有している。遮蔽板５１は、撮像手段３の撮像素子に入射する不要な光線の入射を遮蔽する。導光部材８は、図４に示すように、第３面１４上に配置され、一端が遮蔽板５１の第２開口５３ａ、５３ｂ（図７参照）に挿入され固定されて遮蔽板５１と一体化している。導光部材８の他端は、第３面１４又は第２面１３に対して所定の角度を有して傾斜して設けられた斜面部１５と対向している。ＬＥＤ光源４ａ、４ｂからの光は、撮像手段３の光軸Ａ１と平行な光線束として、斜面部１５に入射する。
【００３２】
斜面部１５は、ＬＥＤ光源４ａ、４ｂからの光を第１面１２に反射させる。斜面部１５は、例えば、導光部材８が配置された第３面１４に対して例えば４５°程度の角度を有して傾斜していてもよいし、凸状の曲面形状を有していてもよいし、ＬＥＤ光源４ａ、４ｂの特性に応じて適宜に変化可能である。斜面部１５の表面は、ＬＥＤ光源４ａ、４ｂからの光を効率よく反射させるため、表面に凹凸加工を施す、あるいは拡散剤等を塗布する等して、所定の反射特性を有するのが好ましい。
【００３３】
導光部材８は、図６及び図８に示すように、２つのＬＥＤ光源４ａ、４ｂと対応する筒状（角型パイプ状）であり、２つの導光路８４ａ、８４ｂを備える。導光路８４ａ、８４ｂは、図８に示すように、それぞれ互いに平行に向かい合う第１内壁面８５及び第２内壁面８６と、第１内壁面８５及び第２内壁面８６に垂直な第３内壁面８７及び第４内壁面８８をそれぞれ有する。第１内壁面８５及び第２内壁面８６は、撮像手段３の光軸Ａ１と平行となるように配置することができる。図９に示すように、第４内壁面８８は、ＬＥＤ光源４ａ、４ｂからの光線束の幅を徐々に広げていくように、第３内壁面８７に対して所定の角度を有して斜めに配置されている。
【００３４】
導光部材８は、光透過板２と撮像手段３と斜面部１５との位置関係等を考慮して、最適な寸法に設定される。即ち、導光部材８は、光透過板２から撮像手段３までの距離ｌT（図３参照）、撮像手段の光軸高さｈC及び斜面部１５との位置関係により、ＬＥＤ光源４が光透過板２に反射して撮像手段３に取り込まれないように、導光路８４ａ、８４ｂの寸法が設定される（第１条件）。また、光透過板２の視野幅とＬＥＤ光源４との水平配置位置の関係の中で、光透過板２の面に均一な光源エネルギを投射させるように、その寸法を適切に設定するのが好ましい（第２条件）。例えば、光透過板２の視野幅とＬＥＤ光源４の水平配置位置が決定（固定）された状態において、図９に示すように、第４内壁面８８の角度を光軸Ａ２に対して３０°傾斜するように設定し、第１壁面８５及び第２壁面８６の間隔を調整することで、光透過板２の全面に均一な光源エネルギを投射させることが可能となる。
【００３５】
このように、第２の実施の形態によれば、ＬＥＤ光源４ａ、４ｂからの光を、導光部材８を介してケース１の内壁に一旦入射させることにより、簡素な構成の画像読取装置が提供できる。また、導光部材８の内壁が具備する光反射構造により、ＬＥＤ光源４ａ、４ｂからの光を拡散させ均一化させた後に、撮像手段３の光軸Ａ１と平行な光線束として形成できるため、読取面（対物面）に対して効率よく均一な光が照射可能となる。更に、導光部材８の一部を遮蔽板５１の開口部に嵌め込んで固定してＬＥＤ光源４ａ、４ｂと導光部材８との間隔を近づけることにより、ＬＥＤ光源４ａ、４ｂから漏れ出た光が直接、撮像手段３に入らないように構成できるため、適切な画像品質の採取が可能となる。
【００３６】
上記のように、本発明の実施の形態を記載したが、この開示の一部をなす論述及び図面はこの考案を限定するものであると理解すべきではない。本発明はここでは明示していない様々な態様を含むことは勿論であり、実施段階においては、その要旨を逸脱しない範囲で変形して具体化できる。
【符号の説明】
【００３７】
１  ケース
２  光透過板
３  撮像手段
４  ＬＥＤ光源
５  遮蔽板
６  拡散手段
７  光学基板
８  導光部材
【図１】
2011095998.tif 000003
【図２】
2011095998.tif 000004
【図３】
2011095998.tif 000005
【図４】
2011095998.tif 000006
【図５】
2011095998.tif 000007
【図６】
2011095998.tif 000008
【図７】
2011095998.tif 000009
【図８】
2011095998.tif 000010
【図９】
2011095998.tif 000011